(57)【要約】本開示は、スリーブと挿入物とを有するパッケージであって、挿入物は移動可能にスリーブ内に受け入れられるように構成されており、パッケージはスリーブに対する挿入物の意図されてない移動を制限するロック機構を有し、挿入物にはユーザがアクセス可能なグリップ部分が設けられており、グリップ部分は挿入物から分離可能であって、グリップ部分は第１の力の作用によって挿入物から分離されるまたは操作不能にされるようになっており、ロック機構は第２の力の作用に抗して挿入物の移動に耐えるようになっており、第２の力は第１の力よりも大きいパッケージに関する。本開示は、さらに、前述のパッケージの一部を形成するように構成されている挿入物に関する。
2010526732.tif 000002
【特許請求の範囲】
【請求項１】
スリーブと挿入物とを有するパッケージであって、
前記挿入物は移動可能に前記スリーブ内に受け入れられるように構成されており、
前記パッケージは、前記スリーブに対する前記挿入物の移動を制御する解除可能なロック機構をさらに有し、
前記挿入物は、該挿入物が前記スリーブ内に受け入れられたときにユーザがアクセス可能なグリップ部分を備えており、
前記グリップ部分に作用する力が、前記挿入物を前記スリーブから少なくとも部分的に取り出すような方向において第１のレベルに達したら、前記グリップ部分が、前記挿入物から分離されるまたは操作不能にされるように構成されており、
前記ロック機構は、前記第１のレベルを超える前記力の作用に抗して、前記挿入物の前記方向への移動に耐えることができる、パッケージ。
【請求項２】
前記グリップ部分が前記挿入物から分離された場合または操作不能にされた場合に前記挿入物へのアクセスが制限され、前記パッケージを開くことが困難になるように、前記スリーブは前記挿入物を取り囲んでいる、請求項１に記載のパッケージ。
【請求項３】
前記パッケージは、前記ロック機構が再度ロックされ、前記グリップ部分にユーザが再度アクセス可能になって再度開くことができるように、開かれて再度閉じられるようになっている、請求項１または２に記載の物品。
【請求項４】
前記グリップ部分は、１つ以上のミシン目からまたはミシン目に沿ってグリップ部分を裂くことによって、前記挿入物から分離される、または操作不能にされるようになっている、請求項１から３のいずれか１項に記載のパッケージ。
【請求項５】
前記グリップ部分は、１つ以上の接着部分からまたは接着部分に沿ってグリップ部分を裂くことによって、前記挿入物から分離される、または操作不能にされるようになっている、請求項１から４のいずれか１項に記載のパッケージ。
【請求項６】
スリーブ内に移動可能およびロック可能に受け入れられるように構成されている挿入物であって、
前記挿入物は、前記スリーブの解除可能なロック機構と連動して前記スリーブに対する前記挿入物の移動を制御するようになっているロック機構をさらに有し、
前記挿入物は、ユーザがアクセス可能なグリップ部分を備え、
前記グリップ部分に作用する力が、前記挿入物を前記スリーブから少なくとも部分的に取り外すような方向において第１のレベルに達したら、前記グリップ部分が、前記挿入物から分離されるまたは操作不能にされるように構成されており、
前記ロック機構は、前記第１のレベルを超える前記力の作用に抗して、前記挿入物の前記方向への移動に耐えることができる、挿入物。
【請求項７】
前記グリップ部分は、１つ以上のミシン目からまたはミシン目に沿ってグリップ部分を裂くことによって、前記挿入物から分離される、または操作不能にされるようになっている、請求項６に記載の挿入物。
【請求項８】
前記グリップ部分は、１つ以上の接着部分からまたは接着部分に沿ってグリップ部分を裂くことによって、前記挿入物から分離される、または操作不能にされるようになっている、請求項６または７に記載の挿入物。
【発明の詳細な説明】
【技術分野】
【０００１】
本発明は、スリーブと挿入物とを有するパッケージであって、挿入物は移動可能にスリーブ内に受け入れられるように構成されており、パッケージは、スリーブに対する挿入物の移動を制御する解除可能なロック機構をさらに有し、挿入物は、挿入物がスリーブ内に受け入れられたときにユーザがアクセス可能なグリップ部分を備えているパッケージに関する。
【０００２】
本発明は、スリーブ内に移動可能およびロック可能に受け入れられるように構成されている挿入物であって、挿入物は、スリーブの解除可能なロック機構と連動してスリーブに対する挿入物の移動を制御するようになっているロック機構をさらに有し、挿入物は、挿入物がスリーブ内に受け入れられたときにユーザがアクセス可能なグリップ部分を備えている挿入物にも関する。
【０００３】
本発明は、子供による誤用を防止（chaild resistant）し、高齢者に優しい、ブリスタカードに保持された最小投薬単位の製品等の収納部に用いられる、アクセスが容易な制御されたパッケージに特に適しているが、それらに限定されるものではない。
【背景技術】
【０００４】
米国特許第６，４９１，２１１Ｂ１号明細書には、パッケージおよびパッケージ内に摺動可能に受け入れ可能なトレーを有し、子供による誤用防止のカートン組立品が開示されている。パッケージは、上部パネルと、上部パネルに平行で、かつ上部パネルから離れて配置されることによって上部パネルと共にロック室を構成するロックパネルと、を有している。トレーは、前縁（トレーがパッケージ内に押し込まれるときに前方にあり、そして、トレーがパッケージから引き出されるときに後方にある）に配置されたロックパネルを有している。パネルは、タブの一部がロック室内に延びるように再度折りたたまれている。パッケージには、プッシュボタンを構成する切り欠きが備わっている。ユーザがプッシュボタンを押さずにトレーを外向きに引き出すと、ロックパネルはロック室内に進入して取り出されることが防止される。トレーがパッケージから引き出される前にプッシュボタンを押すことによって、ユーザはロックパネルを解除することができ、それによりロックパネルがロック室に進入することなくトレーがパッケージから引き出される。ロックパネルが解除されている場合、トレーをパッケージから完全に取り出すことができる。
【０００５】
欧州特許出願公開第１００２７４４Ａ１号明細書は、最小投薬単位の製品を外側の厚紙シェル内の内部スライドカードに収容する２部分の厚紙容器を開示している。このパッケージは、ロック解除機構の作動なしにスライドカードが引き出されることを防止する２つの内部ロックを有している。このパッケージは、子供による誤用を防止し、何度も開閉することができる、高齢者に優しい最小投薬単位のパッケージであり、最終的に処分されるパッケージを実現することに重点を置いている。
【０００６】
ユーザがスライドカードを引くと、スライドカードのタブが内側の上部パネル内の貫通開口に強制的に入ることになり、それによってスライドカードがパッケージから引き出されることを阻止する。しかし、ユーザがカードをパッケージから引き出し始める前にプッシュボタンを押すと、タブは貫通開口から押し出され、スライドカードをパッケージから引き出すことができる。
【０００７】
国際公開第２００６／０６８６０２Ａ１号は、スリーブと、スリーブ内に摺動可能に受け入れられるように構成されている挿入物と、を有するパッケージを開示している。挿入物には、スリーブの第１のロック手段と相互動作するように構成された第１のロック手段を実現する１つ以上のフラップが備わっている。本特許文献に開示されている２つの基本的な実施形態においては、第１のロック手段を構成している複数のフラップが、基本的にスリーブ内で挿入物が摺動可能な摺動方向に沿って延びている線を中心に、挿入物上で再度折り返されている。第１のロック手段のこれらのフラップは、２つの基本的な実施形態においては異なる形状を有するブリッジまたはアークと相互動作するように構成されている。
【０００８】
米国特許第５，５１１，６６５Ａ号明細書は、子供の認知技能が要求されるために幼い子供によって開けられることが防止される、薬剤および非薬剤用の子供による誤用防止パッケージを開示している。パッケージは、梱包された商品を収容している中央ポーチ領域内を除いて、１つに密封された引き裂きに耐える２層の材料を有している。パッケージは、高齢または障害のある人がパッケージを把持して取り扱うことを支援するための非常に広い密封領域内に位置する折り目を有している。切れ目が折り目を横切って延びている。パッケージは、折り目に沿って折られ、それからパッケージを切れ目に沿って裂くことによってのみ開くことができる。パッケージが折り目に沿って折られていない場合、切れ目が露出しない。パッケージは、切れ目とパッケージの中身との間を延びる開封帯も有していることが好ましい。子供がパッケージを開封帯に沿って引き裂くと、開封帯が外れる。パッケージは、それによって無効化され、開かれることが防止される。パッケージは、切れ目を有していない追加の複数の折り目を有していてもよい。子供が、パッケージをそれらの見せかけの折り目の１つに沿って折り、引き裂こうとすると、引き裂き始めるための切れ目がないため、パッケージを開くことができない。しかし、このパッケージは、高齢者や体の不自由な人にとって、開けることが難しい。さらに、この構成はパッケージを１回開けるためにしか使用できない。
【０００９】
パッケージの用途におけるこの分野では、パッケージを、安全であるが、開けることを容易にしておきたいという一般的な要求がある。
【発明の概要】
【発明が解決しようとする課題】
【００１０】
本発明の目的は、意図していないように開くことを防ぎ、適切に扱われたときに容易に開けられるパッケージを提供することである。
【課題を解決するための手段】
【００１１】
前述の目的は、スリーブと挿入物とを有するパッケージであって、挿入物は移動可能にスリーブ内に受け入れられるように構成されており、パッケージは、スリーブに対する挿入物の移動を制御する解除可能なロック機構をさらに有し、挿入物は、該挿入物がスリーブ内に受け入れられたときにユーザがアクセス可能なグリップ部分を備えており、グリップ部分に作用する力が、挿入物をスリーブから少なくとも部分的に取り出すような方向において第１のレベルに達したら、グリップ部分が、挿入物から分離されるまたは操作不能にされるように構成されており、ロック機構は、上記第１のレベルを超える上記の力の作用に抗して、挿入物の上記の方向への移動に耐えることができる、パッケージによって達成される。
【００１２】
子供のように、パッケージを開くための正しい方法を知らない人は、挿入物をスリーブから引き出す前にロック機構を解除しなければならないことに気づかずにパッケージを開けようとする。引き出す力が第１のレベルに達すると、グリップ部分は挿入物から裂かれることになるが、これは、グリップ部分が挿入物から裂かれる力のレベルを超えたレベルの力の作用に耐えることができるようにロック機構が構成されているからである。要するに、グリップ部分は、ロック機構が破壊される前に破壊されなければならない。グリップ部分が挿入物から分離される力は、パッケージを開くための正しい方法に気づいていない大人が、ロック機構を解除する必要があることに必ずしも気づかずに挿入物を穏やかに引こうとしたときに、破壊されない程度に十分に大きくなければならない。子供が、ロック機構が解除されるようにパッケージを破壊するのに十分大きい力を作用させる前にグリップ部分が破壊されるように、グリップ部分を分離するのに必要な力は十分に小さくなければならない。ロック機構が耐えることができる力と比較して、グリップ部分を分離するつまり操作不能にするのに十分な第１のレベルを、このように調整することは、例えば同程度に弱いグリップ部分を設けることおよび／または同程度に強いロック機構を設けることによって達成できる。グリップ部分を弱くすることは、たとえば意図した破壊線に沿って、ミシン目、切れ目、穴、または短い切り欠き部などの、最初に破壊される部分を設けることによって実現できる。弱くすることは、同様に弱い接着剤を使用したり、同様に小さい接着領域を設けたりすることによって、グリップ部分を挿入物に接着することによっても実現される。接着領域は、力が意図している方向に作用した場合に強く、力が別の方向に作用した場合に弱くなるように構成されていてもよい。前述のように、挿入物のグリップ部分が分離されたり操作不能にされたりするレベルにおいて、挿入物からロック機構に伝達される力よりも大きい力に耐えるように、ロック機構は十分に強くなければならない。一実施態様においては、グリップ部分に作用する力が第１のレベルに達すると、グリップ部分は挿入物から分離される。他の実施形態においては、グリップ部分は挿入物から完全にちぎれず、グリップ部分は挿入物の取り出しがより困難になるように、グリップ部分が破壊されたり形状が変化したりすることによって、操作不能にされる。このグリップ部分は、例えばグリップ部分の破壊された結果の形状が、パッケージを開くことをさらに困難にする追加のロック機構として機能するように破壊されてもよい。このグリップ部分は、破壊された結果の形状が、把持することが困難になるように破壊されてもよい。
【００１３】
本発明の好ましい実施態様は、従属請求項から明らかになる。
【００１４】
グリップ部分が挿入物から分離された場合または操作不能にされた場合に挿入物へのアクセスが制限され、パッケージを開くことが困難になるように、スリーブは挿入物を取り囲むようになっていてもよい。この構成によって、グリップ部分が引き裂かれたり操作不能にされたりしても、子供がパッケージを開くことがより困難になる。
【００１５】
パッケージは、ロック機構が再度ロックされ、グリップ部分にユーザが再度アクセス可能になって再度開くことができるように、開かれて再度閉じられるようになっていてもよい。
【００１６】
グリップ部分は、１つ以上のミシン目からまたはミシン目に沿ってグリップ部分を裂くことによって、挿入物から分離される、または操作不能にされるようになっていてもよい。これは、ほとんどの種類のパッケージ材料について、容易に実現可能である。ミシン目のカットは、材料を貫通していてもよいし、材料内に部分的に延びていてもよい。カットの深さ、長さおよび複数のカット間の間隔は、所望のレベルのグリップ部分の弱さを実現するために調整される。
【００１７】
グリップ部分は、１つ以上の接着部分からまたは接着部分に沿ってグリップ部分を裂くことによって、挿入物から分離される、または操作不能にされるようになっていてもよい。これは、ほとんどの種類のパッケージ材料について、容易に実現可能である。
【００１８】
挿入物は、スリーブ内に入れられる別個の部品として販売されていてもよく、これにより前述の種類のパッケージを構成してもよい。薬剤は、例えば、複数のブリスタキャビティに薬剤を保持している複数個の挿入物を有するパッケージに入れられて販売されてもよい。前述の種類のパッケージは、同様に耐久性のある構造と選択された材料のスリーブとから構成されていてもよく、薬剤が使用されるときにユーザが挿入物を交換する。挿入物は、別個の工場で製造され、他の工場でスリーブ内に入れられることで使用に適したパッケージを構成し、それからパッケージの製品が取り出されてから処分されてもよい。
【００１９】
挿入物は、スリーブ内に移動可能およびロック可能に受け入れられるように構成されていてよく、スリーブの解除可能なロック機構と連動してスリーブに対する挿入物の移動を制御するようになっているロック機構をさらに有してもよく、挿入物は、ユーザがアクセス可能なグリップ部分を備え、グリップ部分に作用する力が、挿入物をスリーブから少なくとも部分的に取り外すような方向において第１のレベルに達したら、グリップ部分が、挿入物から分離されるまたは操作不能にされるように構成されており、ロック機構は、第１のレベルを超える上記の力の作用に抗して、挿入物の上記の方向への移動に耐えることができる。
【００２０】
挿入物の好ましい実施形態は、従属請求項から明らかになる。これらの好ましい実施形態の利点は、パッケージの対応している特徴に関連して説明される。
【図面の簡単な説明】
【００２１】
【図１】閉じているパッケージを示す図である。
【図２】誤った方法でパッケージを開けようとしたユーザによってグリップ部分がちぎられたパッケージを示す図である。
【図３】正しい方法で開けられたパッケージを示す図である。
【図４】ロックフラップを備えている挿入物を模式的に示している図である。
【図５】ロックフラップを備えているスリーブの部分を模式的に示している図である。
【図６】ロック機構を構成している２つのロックフラップの相互動作を示すために、挿入物とスリーブの一部を模式的に示している図である。
【発明を実施するための形態】
【００２２】
本発明の好ましい実施形態を示す添付の模式図を参照して、本発明を、例としてより詳細に説明する。
【００２３】
図１〜図３に示しているように、パッケージは、基本的に、スリーブ１０と挿入物２０とを有している。スリーブ１０は、複数の折り目によって定められた複数のパネルを備えた半加工品から構成されている。スリーブ１０は、基本的に、挿入物２０が摺動可能に受け入れられる平行６面体の中空の本体に折られる。そのような基本的な構成は、たとえば国際公開第２００６／０６８６０２Ａ１号に開示されている。スリーブ１０と挿入物２０と（任意の他の要素と）から構成されているパッケージには、解除可能なロック機構が設けられている。ロック機構は、図４〜図６に示しているように、挿入物２０上のロックフラップ（locking flap）２１と、スリーブ１０内のロックフラップつまりロックアーク（locking ark）１１と、スリーブ１０の外側からユーザがアクセス可能なプッシュボタン１２と、を有している。ユーザがロック機構を解除せずにスリーブ１０から挿入物２０を引き出そうとすると、挿入物の取り外しは阻止される。ユーザが、ロック機構を引き裂くほど十分大きい力で挿入物２０を引くことができる場合にだけ、挿入物２０はスリーブ１０から引き出される。しかし、これは、以下で詳細に説明するように、挿入物２０の特定の構成によって防止することができる。ユーザは、挿入物２０が引き出される前にロック機構が解除されていれば、問題なくスリーブ１０から挿入物２０を引き出すことができる。ロック機構は、プッシュボタン１２がスリーブ１０内に内向きに押されることで、ユーザによって解除される。プッシュボタン１２は、挿入物２０のロックフラップ２１と相互に動作して、ロックフラップ２１が図６の矢印Ａで示すように折られることになる。これによって、ユーザが挿入物２０をスリーブ１０から引き出すときに、ロックフラップ２１はロックアーク１１を通過できるようになる。解除されていない場合、挿入物２０のロックフラップ２１はロックアーク１１を通過することができず、スリーブ１０からの挿入物２０の取り出しが防止される。
【００２４】
挿入物２０はグリップ部分２３を備えており、つまり挿入物２０はグリップ部分２３と接続されている。ロック機構が挿入物２０をスリーブ１０内でロックするまで、挿入物２０が摺動してスリーブ１０内に入れられると、挿入物２０は、スリーブ１０に取り囲まれ、ユーザにはアクセスできない。しかし、ロック機構が挿入物２０をスリーブ１０内でロックするまで、挿入物２０がスリーブ１０内に摺動して入れられたとき、ユーザはグリップ部分２３にアクセスできる。挿入物２０をスリーブ１０から引き出してパッケージを開くときに、ユーザはグリップ部分２３を把持して、（プッシュボタン１２を用いてロックフラップ２１を操作することによって）ロック機構を解除し、それからスリーブ１０から挿入物２０を引き出す。ユーザが挿入物２０をスリーブ１０内に押し戻すときには、ロック機構が再度ロックして、グリップ部分２３がユーザから再度アクセス可能になって再び開くことができることになるようにパッケージは再び閉じられる。一実施形態においては、グリップ部分２３は、接着剤を使用して挿入物２０に取り付けられている。グリップ部分２３は、挿入物２０と一体に構成されていてもよい。
【００２５】
ユーザがロック機構を解除せずに挿入物２０をスリーブ１０から強過ぎる力で引き出そうとすると、グリップ部分２３は挿入物２０から分離される、もしくは操作不能にされるようになっている。挿入物をスリーブ１０から引き出す方向にグリップ部分２３に作用している力が第１のレベルに達すると、グリップ部分２３は挿入物２０から引き裂かれる。ロック機構は、第１のレベルを超えている前述の力の作用に抗して挿入物２０の前述の方向への移動に耐えることができるため、グリップ部分２３が挿入物１０からちぎれる。このように、ロック機構は、グリップ部分２３と挿入物２０の残りの部分との間の接続よりも強い。
【００２６】
グリップ部分２３が挿入物２０から分離される破壊点または破壊線は、例えばミシン目または接着領域であってもよい。図３において、複数の実線は、図２に示すパネル２４が接着によって挿入物２０の下側に接続されている構成に対応しており、接着剤の性質は、パネル２４が挿入物２０の下側から引き裂かれるように選択される。図３において、（符号２５で示している）点線は、留めパネル２５が挿入物２０の下側に接着されているのに対して、パネル２４は留めパネル２５にミシン目を介して接続されているが、パネル２４は挿入物２０の下側には接着されていないということを表している。意図された破壊点または破壊線を提供するために、接着領域とミシン目領域との組み合わせを用いることも考えられる。グリップ部分２３が正しい方向とは異なる方向に引かれた場合に比べて、正しい方向に引かれた場合には、グリップ部分２３を破壊せずにより大きな力で引くことができるように、複数の接着領域または複数のミシン目を構成することも考えられる。このようにすると、子供がグリップ部分２３を引きちぎる可能性はよりいっそう高くなり、パッケージが正しく使用された場合、依然として同程度の耐久性を有することになる。
【００２７】
グリップ部分２３が挿入物２０から分離される破壊点または破壊線は、パッケージが閉じられた状態（挿入物２０がスリーブ１０内に押し込まれている状態）でユーザに提供されたときには、ユーザには見えないことが好ましい。もし見えた場合には、ユーザは、パッケージを開くにはグリップ部分を破壊点の位置またはミシン目などの破壊線に沿って引き裂かなければならないというように、その視覚的な影響を与えるおそれがある。同様な理由のため、多くの場合、パッケージが開かれたときにも、破壊点または破壊線がユーザから隠れていることが好ましい。
【００２８】
ユーザは、図１に示しているようにパッケージが提供される。ユーザがロック機構を解除せずにグリップ部分２３を引くと、グリップ部分２３は、最終的に挿入物２０から分離されることになる。図２に示しているように、挿入物２０に対するアクセスが制限され、パッケージを開けることが困難になるように、挿入物２０はスリーブ１０によって囲まれている。
【００２９】
挿入物２０は、たとえば、薬剤などの最小投薬単位の製品がブリスタキャビティ２６に配された、いわゆるブリスタカードであってもよい。
【００３０】
スリーブ１０は、紙ベースまたはポリマーベースの積層構造から成ることが好ましい。挿入物１０は、紙ベースまたはポリマーベースの積層構造から成ることが好ましい。ブリスタ２６は、透明または不透明なポリマーベースの材料から成ることが好ましい。
【００３１】
本明細書で説明した実施形態の様々な変更が考えられ、それらは依然として添付の請求項で定めた発明の範囲内にある。
【００３２】
グリップ部分を裂くまたは破壊することは、他の誰かが以前にパッケージを開けたことまたは開けようしたことをユーザに示すためにも使用することができる。
【００３３】
挿入物２０は、たとえば、スリーブ内に構成された開口、パネルまたはアーク（ark）と連動する、再び折りたたまれる維持機構のようなパネル２７を利用することによって、スリーブ１０から完全に引き出せないようになっていてもよい。その代わりに、スリーブ１０は、スリーブ１０の開口のより近くに位置している第２のアーク（アーク１１に対応している）を備えていてもよい。この構成によって、（製品にアクセスするために取り外す必要のある）パネル２０ｂを取り出すには、グリップ部分２３を取り外さなければならない。
【図１】
2010526732.tif 000003
【図２】
2010526732.tif 000004
【図３】
2010526732.tif 000005
【図４】
2010526732.tif 000006
【図５】
2010526732.tif 000007
【図６】
2010526732.tif 000008
【国際調査報告】
2010526732.tif 000009
2010526732.tif 000010
2010526732.tif 000011
2010526732.tif 000012